(57)【要約】【課題】ユーザにディスクの情報が視聴可能になるまでの待ち時間を長く感じさせないようにするディスクプレーヤ一体型テレビジョン受像機を提供する。【解決手段】映像を記録したＤＶＤ２０と音声を記録したＣＤ３０のいずれかからデータを再生するディスクプレーヤ２と、ディスクプレーヤ２が再生した信号に基づいてＤＶＤ２０の映像を表示するＣＲＴ８およびＣＤ３０の音声を出力するスピーカ７を備えたテレビジョン受像機１とが一体になったディスクプレーヤ一体型テレビジョン受像機１００において、ＤＶＤ２０またはＣＤ３０がディスクプレーヤ２に装着されてから、装着されたディスクの再生信号をテレビジョン受像機１が受信するまでの間に、アンテナ３によって受信したテレビジョン放送の映像をＣＲＴ８に表示する。【選択図】    図１
2005012348.tif 000002
【特許請求の範囲】
【請求項１】
映像を記録したＤＶＤと音声を記録したＣＤのいずれかからデータを再生するディスクプレーヤと、当該ディスクプレーヤが再生した信号に基づいて前記ＤＶＤの映像を表示するＣＲＴおよび前記ＣＤの音声を出力するスピーカを備えたテレビジョン受像機とが一体になったディスクプレーヤ一体型テレビジョン受像機において、
前記テレビジョン受像機は、
変化しない固定の映像を記憶したメモリと、
アンテナによって受信したテレビジョン放送の映像または前記固定の映像をＣＲＴに表示させるための同期信号を発生する第１の同期回路と、
前記ＤＶＤの映像をＣＲＴに表示させるための同期信号を発生する第２の同期回路と、
前記テレビジョン放送の映像と前記固定の映像と前記ＤＶＤの映像のいずれかをＣＲＴに表示させるために切り替えるスイッチと、
前記スイッチを制御するマイクロコンピュータと、を備え、
前記マイクロコンピュータは、ＤＶＤまたはＣＤが前記ディスクプレーヤに装着されると、前記スイッチを切り替えて前記テレビジョン放送の映像をＣＲＴに表示させ、この後前記第２の同期回路が発生する水平同期信号の周波数が所定の値に一致しているか否かを判定し、所定の値に一致していれば、前記ＤＶＤの再生信号を受信したと判断して、前記スイッチを切り替えて前記ＤＶＤの映像をＣＲＴに表示させ、所定の値に一致していなければ、前記ＣＤの再生信号を受信したと判断して、前記スイッチを切り替えて前記固定の映像をＣＲＴに表示させることを特徴とするディスクプレーヤ一体型テレビジョン受像機。
【請求項２】
映像を記録した映像ディスクと音声を記録した音声ディスクのいずれかからデータを再生するディスクプレーヤと、当該ディスクプレーヤが再生した信号に基づいて前記映像ディスクの映像を表示する表示手段および前記音声ディスクの音声を出力する音声出力手段を備えたテレビジョン受像機とが一体になったディスクプレーヤ一体型テレビジョン受像機において、
前記テレビジョン受像機は、前記映像ディスクまたは前記音声ディスクが前記ディスクプレーヤに装着されてから、装着されたディスクの再生信号を受信するまでの間に、アンテナによって受信したテレビジョン放送の映像を前記表示手段に表示することを特徴とするディスクプレーヤ一体型テレビジョン受像機。
【請求項３】
請求項２に記載のディスクプレーヤ一体型テレビジョン受像機において、
前記テレビジョン受像機は、
変化しない固定の映像を記憶した記憶手段と、
前記テレビジョン放送の映像と前記固定の映像と前記映像ディスクの映像のいずれかを前記表示手段に表示させるために切り替える切替手段と、
前記切替手段を制御する制御手段と、を備え、
前記制御手段は、前記映像ディスクまたは前記音声ディスクが前記ディスクプレーヤに装着されると、前記切替手段を切り替えて前記テレビジョン放送の映像を前記表示手段に表示させ、この後前記映像ディスクの再生信号と前記音声ディスクの再生信号のいずれを受信したかを判断し、前記映像ディスクの再生信号を受信したと判断すると、前記切替手段を切り替えて前記映像ディスクの映像を前記表示手段に表示させ、前記音声ディスクの再生信号を受信したと判断すると、前記切替手段を切り替えて前記固定の映像を前記表示手段に表示させることを特徴とするディスクプレーヤ一体型テレビジョン受像機。
【請求項４】
請求項３に記載のディスクプレーヤ一体型テレビジョン受像機において、
前記テレビジョン受像機は、
前記テレビジョン放送の映像または前記固定の映像を前記表示手段に表示させるための同期信号を発生する第１の同期回路と、
前記映像ディスクの映像を前記表示手段に表示させるための同期信号を発生する第２の同期回路と、を備え、
前記制御手段は、前記第２の同期回路が発生する同期信号の周波数が所定の値に一致しているか否かを判定し、所定の値に一致していれば、前記映像ディスクの再生信号を受信したと判断し、所定の値に一致していなければ、前記音声ディスクの再生信号を受信したと判断することを特徴とするディスクプレーヤ一体型テレビジョン受像機。
【発明の詳細な説明】
【０００１】
【発明の属する技術分野】
本発明は、映像ディスクと音声ディスクのいずれかからデータを再生するディスクプレーヤと、テレビジョン受像機とが一体になったディスクプレーヤ一体型テレビジョン受像機に関するものである。
【０００２】
【従来の技術】
テレビジョン受像機には、例えばＤＶＤのような映像を記録した映像ディスクとオーディオ用ＣＤのような音声を記録した音声ディスクのいずれかからデータを読み取って再生するディスクプレーヤと一体になったディスクプレーヤ一体型テレビジョン受像機がある。図４は、従来のディスクプレーヤ一体型テレビジョン受像機の電気的構成を示すブロック図である。図４において、５０はディスクプレーヤ一体型テレビジョン受像機（以下、一体型受像機と記す）であって、テレビジョン受像機（以下、テレビと記す）５１と、ＤＶＤ２０またはＣＤ３０に記録されたデータを再生するディスクプレーヤ（以下、プレーヤと記す）５２とから構成されている。テレビ５１において、５３はテレビジョン放送電波を受信するアンテナ、５４はアンテナ５３で受信されたテレビジョン放送電波から所定のチャンネルのテレビジョン放送信号を抽出するチューナである。５５は信号処理部であって、チューナ５４より出力されるテレビジョン放送信号や、後述するＣＤ用固定映像データや、後述するプレーヤ５２から送信されて来るＤＶＤ２０またはＣＤ３０の再生信号およびリード用固定映像信号を処理して音声信号と映像信号とを出力する。なお、信号処理部５５が出力する映像信号には、テレビジョン放送映像信号、ＣＤ用固定映像信号、リード用固定映像信号およびＤＶＤ映像信号があるが、信号処理部５５からは上記４つの映像信号のうち１つの映像信号が出力される。
【０００３】
５６は信号処理部５５からの音声信号を増幅する音声アンプ、５７は音声を出力するスピーカ、５８は映像を表示するＣＲＴ（陰極線管）、５９は信号処理部５５からの映像信号に基づいてＣＲＴ５８を駆動するＣＲＴ駆動部である。６３はテレビ５１の各部を制御するマイクロコンピュータ（以下、マイコンと記す）、６４はＣＤ用固定映像を記憶したＥＥＰＲＯＭ等から構成されるメモリである。ここで、ＣＤ用固定映像とは、ＣＤ３０に記録された音声をスピーカ５７から出力するときにＣＲＴ５８に表示する変化しない固定の映像のことであって、本例では、一面青の青画面を表示する。なお、この固定映像が表示されないと、ＣＤ３０には映像が記録されていないため、映像信号が無い状態になりＣＲＴ５８にはノイズ画面（砂あらし画面）が表示されてしまう。このように映像信号が無い状態で固定映像を表示することは、ディスクプレーヤ一体型テレビジョン受像機に限らず、特許文献１に記載されているようにＶＣＲ一体型テレビジョン受像機においても一般的に行われている。６５は操作部であって、電源スイッチや、チャンネル選択ボタンや、プレーヤ５２にＤＶＤ２０またはＣＤ３０を装着するためのトレーを出し入れするボタン等から構成されている。
【０００４】
プレーヤ５２において、６６はプレーヤ５２に装着されたＤＶＤ２０またはＣＤ３０からデータを読み取るディスク読取部であって、ピックアップやスピンドルモータやサーボ回路等から構成されている。６７は信号処理部であって、ディスク読取部６６が読み取ったデータを処理して再生し、その再生した信号をテレビ５１の信号処理部５５に送信する。また、信号処理部６７は、後述するリード用固定映像のデータを処理して、その処理した信号を信号処理部５５に送信する。６８はプレーヤ５２の各部を制御するマイクロコンピュータ（以下、マイコンと記す）、６９はリード用固定映像を記憶したＥＥＰＲＯＭ等から構成されるメモリである。ここで、リード用固定映像とは、プレーヤ５２にＤＶＤ２０またはＣＤ３０が装着されてから、装着されたディスクのデータを読み取って再生した信号を信号処理部５５に送信するまでの間にＣＲＴ５８に表示する変化しない固定の映像のことであって、本例では、一面黒の黒画面を表示する。なお、この固定映像が表示されないと、映像信号が無い状態になりＣＲＴ５８にはノイズ画面（砂あらし画面）が表示されてしまう。
【０００５】
Ｐ１は制御信号をマイコン６３とマイコン６８との間で送受信するための制御信号送受信ポート、Ｐ２はプレーヤ５２に装着されたディスクの種類をマイコン６８からマイコン６３へ通知するためのディスク情報送信ポートである。Ｐ３はＤＶＤ２０の再生信号を信号処理部６７から信号処理部５５へ送信するためのＤＶＤ再生信号送信ポート、Ｐ４はＣＤ３０の再生信号を信号処理部６７から信号処理部５５へ送信するためのＣＤ再生信号送信ポート、Ｐ５はリード用固定映像信号を信号処理部６７から信号処理部５５へ送信するための固定映像信号送信ポートである。
【０００６】
次に、上記従来の一体型受像機５０の動作について説明する。プレーヤ５２にＤＶＤ２０またはＣＤ３０が装着されたことをセンサ等で検知すると、マイコン６８が、リード用固定映像データをメモリ６９から読み出して信号処理部６７に送り、このデータを受けた信号処理部６７が、データを処理した後に、処理したリード用固定映像の信号を固定映像送信ポートＰ５を通じてテレビ５１の信号処理部５５に送信する。信号処理部５５は、リード用固定映像信号を受信するとこれを処理して出力し、この出力を受けたＣＲＴ駆動部５９がＣＲＴ５８を駆動して、ＣＲＴ５８にリード用固定映像である黒画面が表示される。上記のようにリード用固定映像が表示される間、マイコン６８は、装着されたディスクからディスク読取部６６によってＴＯＣ（Ｔａｂｌｅ  ｏｆ  ｃｏｎｔｅｎｔｓ）情報を読み取り、このＴＯＣ情報に基づいてディスクが映像を記録したＤＶＤ２０であるか映像を記録せず音声を記録したＣＤ３０であるかを判別する。そして、その判別結果をディスク情報送信ポートＰ２を通じてマイコン６３へ通知する。なお、ディスクプレーヤには、下記の特許文献２に記載されているように、サーボ回路等の同期を取るための同期信号がディスクに記録されているか否かによって、ディスクがＣＤ−ＲＯＭであるかＣＤであるかを判別するものもある。また、特許文献１のＶＣＲ一体型テレビジョン受像機では、プレーヤ側ではなくテレビ側で、記録媒体に映像が記録されているか否かの判別を、ＣＲＴに映像を表示するための同期回路が発生する同期信号の電圧レベルに基づいて行っている。
【０００７】
ディスクの種類を通知すると、マイコン６８は、ディスク読取部６６によってディスクから映像や音声のデータを読み取って、信号処理部６７に送る。信号処理部６７は、送られて来たディスクのデータを処理して再生し、再生した信号がＤＶＤ２０の再生信号であれば、ＤＶＤ再生信号送信ポートＰ３を通じて信号処理部５５へ送信し、再生した信号がＣＤ３０の再生信号であれば、ＣＤ再生信号送信ポートＰ４を通じて信号処理部５５へ送信する。ここで、送信された再生信号がＤＶＤ２０の再生信号である場合は、信号処理部５５はＤＶＤ２０の再生信号を受信してこれを処理し、映像信号と音声信号とを出力する。そして、映像信号を受けたＣＲＴ駆動部５９がこの信号に基づいてＣＲＴ５８を駆動し、ＣＲＴ５８に黒画面から切り替わってＤＶＤ２０の映像が表示され、これと同時に、音声信号を受けた音声アンプ５６がこれを増幅し、スピーカ５７からＤＶＤ２０の音声が出力される。
【０００８】
一方、信号処理部６７から送信された再生信号がＣＤ３０の再生信号である場合は、マイコン６３が、前述したように装着されたディスクが映像を記録していないＣＤ３０であるという通知をマイコン６８から既に受けているため、ＣＤ用固定映像データをメモリ６４から読み出して信号処理部５５に送る。そして、信号処理部５５が、ＣＤ用固定映像データを受けて処理し、ＣＤ用固定映像信号を出力するとともに、ＣＤ３０の再生信号を受信して処理し、音声信号を出力する。この後、ＣＤ用固定映像信号を受けたＣＲＴ駆動部５９がそれに基づいてＣＲＴ５８を駆動し、ＣＲＴ５８に黒画面から切り替わってＣＤ用固定映像である青画面が表示され、これと同時に、音声信号を受けた音声アンプ５６がこれを増幅し、スピーカ５７からＣＤ３０の音声が出力される。
【０００９】
【特許文献１】
特開平１１−１７７８９５号公報
【特許文献２】
特開平１−２９４２７６号公報
【００１０】
【発明が解決しようとする課題】
上述したように、従来の一体型受像機５０では、プレーヤ５２にＤＶＤ２０またはＣＤ３０が装着されてから、信号処理部５５が装着されたディスクの再生信号を受信するまでの間に、ＣＲＴ５８にノイズ画面の代わりに黒画面（リード用固定映像）が表示される。しかし、その間の時間は約１０〜１２秒であるため、変化しない黒画面がＣＲＴ５８に約１０〜１２秒続けて表示されると、ユーザはディスクの情報が視聴可能になるまでの待ち時間を非常に長く感じ、不快になるという問題がある。
【００１１】
本発明は、上記課題を解決するものであって、その目的とするところは、ユーザにディスクの情報が視聴可能になるまでの待ち時間を長く感じさせないようにするディスクプレーヤ一体型テレビジョン受像機を提供することにある。
【００１２】
【課題を解決するための手段】
本発明では、映像を記録した映像ディスクと音声を記録した音声ディスクのいずれかからデータを再生するディスクプレーヤと、当該ディスクプレーヤが再生した信号に基づいて映像ディスクの映像を表示する表示手段および音声ディスクの音声を出力する音声出力手段を備えたテレビジョン受像機とが一体になったディスクプレーヤ一体型テレビジョン受像機において、テレビジョン受像機は、映像ディスクまたは音声ディスクがディスクプレーヤに装着されてから、装着されたディスクの再生信号を受信するまでの間に、アンテナによって受信したテレビジョン放送の映像を表示手段に表示する。
【００１３】
このように、ディスクがディスクプレーヤに装着されてから、テレビジョン受像機がディスクの再生信号を受信するまでの間に、テレビジョン放送の映像を表示手段に表示すると、テレビジョン放送の映像は時々刻々と変化するので、ユーザにテレビジョン放送を視聴させることで、ディスクの情報が視聴可能になるまでの待ち時間を長く感じさせないようにすることができる。また、従来のようにディスクプレーヤ側で読取用固定画像データを処理してテレビジョン受像機に送信する必要がなくなるので、ディスクプレーヤが実行する処理を減らしてプレーヤの負担を軽減することができるとともに、図４に示した固定画像送信ポートＰ５と読取用固定画像データ自体を抹消することができ、一体型受像機全体のコストを低く抑えることが可能となる。
【００１４】
また、本発明においては、テレビジョン受像機は、変化しない固定の映像を記憶した記憶手段と、テレビジョン放送の映像と固定の映像と映像ディスクの映像のいずれかを表示手段に表示させるために切り替える切替手段と、切替手段を制御する制御手段とを設けている。この構成において、制御手段は、映像ディスクまたは音声ディスクがディスクプレーヤに装着されると、切替手段を切り替えてテレビジョン放送の映像を表示手段に表示させる。そしてこの後、制御手段は、映像ディスクの再生信号と音声ディスクの再生信号のいずれを受信したかを判断し、映像ディスクの再生信号を受信したと判断すると、切替手段を切り替えて映像ディスクの映像を表示手段に表示させ、音声ディスクの再生信号を受信したと判断すると、切替手段を切り替えて固定の映像を表示手段に表示させる。
【００１５】
このように、映像ディスクまたは音声ディスクの再生信号を受信したと判断したときに、表示手段に表示しているテレビジョン放送の映像を映像ディスクの映像またはメモリの固定の映像に切り替えると、ディスクの情報が視聴可能になったことをユーザに即座に認識させて、以降ディスクの映像および音声を楽しませることができる。また、テレビジョン受像機側でディスクの再生信号が映像ディスクの再生信号か音声ディスクの再生信号かを判断する、つまり装着されたディスクが映像ディスクか音声ディスクかを判断すると、従来のようにディスクプレーヤ側でディスクの判別を行ってその結果をテレビジョン受像機側に通知する必要がなくなるので、ディスクプレーヤが実行する処理を減らしてプレーヤの負担を一層軽減することができるとともに、図４に示したディスク情報送信ポートＰ２を抹消することができ、一体型受像機のコストをさらに低く抑えることが可能となる。
【００１６】
また、本発明においては、上記構成に加え、テレビジョン受像機は、テレビジョン放送の映像または固定の映像を表示手段に表示させるための同期信号を発生する第１の同期回路と、映像ディスクの映像を表示手段に表示させるための同期信号を発生する第２の同期回路とを設けている。この構成において、制御手段は、第２の同期回路が発生する同期信号の周波数が所定の値に一致しているか否かを判定し、所定の値に一致していれば、映像ディスクの再生信号を受信したと判断し、所定の値に一致していなければ、音声ディスクの再生信号を受信したと判断する。
【００１７】
このように、第１の同期回路とは別に第２の同期回路を設けると、テレビジョン放送の映像を表示手段に表示している間に、テレビジョン受像機が映像ディスクの再生信号を受信すれば、映像ディスクの映像信号が第２の同期回路に入力されて、第２の同期回路の同期信号の周波数が所定の値に一致し、映像ディスクの再生信号を受信したことが容易に判断できる。また、テレビジョン受像機が映像ディスクの再生信号を受信しなければ、映像ディスクの映像信号が第２の同期回路に入力されず、第２の同期回路の同期信号の周波数が所定の値に一致しないので、映像ディスクの再生信号を受信せずに、音声ディスクの再生信号を受信したことが容易に判断できる。なお、図４に示した従来のように映像ディスク専用の再生信号送信ポートＰ３と、音声ディスク専用の再生信号送信ポートＰ４の２つポートＰ３、Ｐ４を設け、それぞれのポートＰ３、Ｐ４からの信号の送信の有無を検知することによっても、テレビジョン受像機側で映像ディスクの再生信号を受信したか音声ディスクの再生信号を受信したかを判断することができるが、上記のように第２の同期回路を設けてディスクの再生信号を判断すると、映像ディスクの再生信号と音声ディスクの再生信号を送信するためのポートを別々にする必要がないので、ディスクプレーヤとテレビジョン受像機間のポートの数を減らして、一体型受像機全体のコストをさらに低く抑えることが可能となる。
【００１８】
さらに、本発明の典型的な実施形態におけるディスクプレーヤ一体型テレビジョン受像機は、映像を記録したＤＶＤと音声を記録したＣＤのいずれかからデータを再生するディスクプレーヤと、当該ディスクプレーヤが再生した信号に基づいてＤＶＤの映像を表示するＣＲＴおよびＣＤの音声を出力するスピーカを備えたテレビジョン受像機とが一体になっている。そして、上記テレビジョン受像機は、変化しない固定の映像を記憶したメモリと、アンテナによって受信したテレビジョン放送の映像または固定の映像をＣＲＴに表示させるための同期信号を発生する第１の同期回路と、ＤＶＤの映像をＣＲＴに表示させるための同期信号を発生する第２の同期回路と、テレビジョン放送の映像と固定の映像とＤＶＤの映像のいずれかをＣＲＴに表示させるために切り替えるスイッチと、スイッチを制御するマイクロコンピュータとを設けている。上記構成において、マイクロコンピュータは、ＤＶＤまたはＣＤがディスクプレーヤに装着されると、スイッチを切り替えてテレビジョン放送の映像をＣＲＴに表示させる。そしてこの後、マイクロコンピュータは、第２の同期回路が発生する水平同期信号の周波数が所定の値に一致しているか否かを判定し、所定の値に一致していれば、ＤＶＤの再生信号を受信したと判断して、スイッチを切り替えて前記ＤＶＤの映像をＣＲＴに表示させ、所定の値に一致していなければ、ＣＤの再生信号を受信したと判断して、スイッチを切り替えて固定の映像をＣＲＴに表示させる。
【００１９】
ＤＶＤまたはＣＤを再生可能なディスクプレーヤを搭載した一体型受像機では、ディスクをディスクプレーヤに装着してからディスクの情報を視聴可能になるまでの待ち時間が約１０〜１２秒と長いため、本発明を上記のようなディスクプレーヤを搭載した一体型受像機に適用することは大変意義が大きい。
【００２０】
【発明の実施の形態】
図１は、本発明の実施形態に係るディスクプレーヤ一体型テレビジョン受像機の電気的構成を示すブロック図である。図１において、１００はディスクプレーヤ一体型テレビジョン受像機（以下、一体型受像機と記す）であって、テレビジョン受像機（以下、テレビと記す）１と、映像を記録したＤＶＤ２０または音楽等の音声を記録したオーディオ用ＣＤ３０に記録されたデータを再生するディスクプレーヤ（以下、プレーヤと記す）２とから構成されている。テレビ１において、３はテレビジョン放送電波を受信するアンテナ、４はアンテナ３で受信されたテレビジョン放送電波から所定のチャンネルのテレビジョン放送信号を抽出するチューナである。５は信号処理部であって、チューナ４より出力されるテレビジョン放送信号や、後述するＣＤ用固定映像データや、後述するプレーヤ２から送信されて来るＤＶＤ２０またはＣＤ３０の再生信号を処理して音声信号と映像信号とを出力する。
【００２１】
６は信号処理部５からの音声信号を増幅する音声アンプ、７は音声を出力するスピーカ、８は映像を表示するＣＲＴ（陰極線管）、９は信号処理部５からの映像信号に基づいてＣＲＴ８を駆動するＣＲＴ駆動部、１０はＣＲＴ駆動部９に備わる映像信号切替部である。映像信号切替部１０の詳細は、図２で説明する。１３はテレビ１の各部を制御するマイクロコンピュータ（以下、マイコンと記す）、１４はＣＤ用固定映像を記憶したＥＥＰＲＯＭ等から構成されるメモリである。ここで、ＣＤ用固定映像とは、ＣＤ３０に記録された音声をスピーカ７から出力するときに、ＣＲＴ８に表示する変化しない固定の映像のことであって、本実施形態では、一面青の青画面を表示する。青画面以外に、文字や絵を含んだ静止画面を表示してもよい。このような固定映像を表示することで、ＣＤ３０の音声の出力時に、ＣＤ３０に映像が記録されていないことにより映像信号が無い状態になって、ＣＲＴ８にノイズ画面（砂あらし画面）が表示されるのを阻止することができる。１５は操作部であって、電源スイッチや、チャンネル選択ボタンや、プレーヤ２にＤＶＤ２０またはＣＤ３０を装着するためのトレーを出し入れするボタン等から構成されている。
【００２２】
プレーヤ２において、１６はプレーヤ２に装着されたＤＶＤ２０またはＣＤ３０からデータを読み取るディスク読取部であって、ピックアップやスピンドルモータやサーボ回路等から構成されている。１７は信号処理部であって、ディスク読取部１６が読み取ったデータを処理して再生し、その再生した信号をテレビ１の信号処理部５に送信する。１８はプレーヤ２の各部を制御するマイクロコンピュータ（以下、マイコンと記す）、１９はＥＥＰＲＯＭ等から構成されるメモリである。Ｐａは制御信号をマイコン１３とマイコン１８との間で送受信するための制御信号送受信ポート、ＰｂはＤＶＤ２０の再生信号またはＣＤ３０の再生信号を信号処理部１７から信号処理部５へ送信するための再生信号送信ポートである。
【００２３】
上記の構成において、ＤＶＤ２０は、本発明における映像ディスクを構成し、ＣＤ３０は、本発明における音声ディスクを構成する。スピーカ７は、本発明における音声出力手段を構成し、ＣＲＴ８は、本発明における表示手段を構成する。マイコン１３は、本発明における制御手段を構成し、メモリ１４は、本発明における記憶手段を構成し、メモリ１４に記憶されているＣＤ用固定映像は、本発明における固定の映像を構成する。
【００２４】
図２は、前述の映像信号切替部１０の詳細構成を示す図である。図２において、映像信号切替部１０には、信号処理部５からテレビジョン放送信号を処理したテレビジョン放送映像信号と、ＣＤ用固定映像を処理したＣＤ用固定映像信号と、ＤＶＤ２０の再生信号を処理したＤＶＤ映像信号とがそれぞれ入力される。１１はテレビジョン放送の映像またはＣＤ用固定映像をＣＲＴ８に表示させるための同期信号を発生する第１同期回路、１２はＤＶＤ２０の映像をＣＲＴ８に表示させるための同期信号を発生する第２同期回路である。映像信号が入力されると、同期回路１１、１２が発生する水平同期信号の周波数は、１５．７３ＫＨｚに一致し、垂直同期信号の周波数は、６０Ｈｚに一致する。なお、図１のマイコン１３は、後述するように第２同期回路１２が発生する水平同期信号の周波数が１５．７３ＫＨｚに一致しているか否かを判定する。Ｓ１〜Ｓ３はテレビジョン放送の映像とＣＤ用固定映像とＤＶＤ２０の映像のいずれかをＣＲＴ８に表示させるために切り替えるスイッチである。
【００２５】
図２の状態から、テレビジョン放送映像信号が入力されて来た場合に、スイッチＳ１を接点ａに接続し、スイッチＳ２を接点ｃに接続し、スイッチＳ３を接点ｅに接続すると、テレビジョン放送映像信号が図１のＣＲＴ駆動部９によってＣＲＴ８に入力されるとともに、第１同期回路１１に入力されて、第１同期回路１１でテレビジョン放送映像信号に基づいて同期信号が発生され、その同期信号がＣＲＴ駆動部９によってＣＲＴ８に入力される。これにより、ＣＲＴ８にテレビジョン放送の映像が表示される。また、ＣＤ用固定映像信号が入力されて来た場合に、スイッチＳ１を接点ｂに接続し、スイッチＳ２を接点ｃに接続し、スイッチＳ３を接点ｅに接続すると、ＣＤ用固定映像信号がＣＲＴ駆動部９によってＣＲＴ８に入力されるとともに、第１同期回路１１に入力されて、第１同期回路１１でＣＤ用固定映像信号に基づいて同期信号が発生され、その同期信号がＣＲＴ駆動部９によってＣＲＴ８に入力される。これにより、ＣＲＴ８にＣＤ用固定映像である青画面が表示される。上記に対して、ＤＶＤ映像信号が入力されて来た場合は、ＤＶＤ映像信号が第２同期回路１２に入力されて、第２同期回路１２でＤＶＤ映像信号に基づいて同期信号が発生される。このとき、スイッチＳ２を接点ｄに接続し、スイッチＳ３を接点ｆに接続すると、ＤＶＤ映像信号がＣＲＴ駆動部９によってＣＲＴ８に入力されるとともに、第２同期回路１２で発生された同期信号がＣＲＴ駆動部９によってＣＲＴ８に入力される。これにより、ＣＲＴ８にＤＶＤ２０の映像が表示される。
【００２６】
上記の構成において、スイッチＳ１〜Ｓ３は、本発明における切替手段を構成し、第１同期回路１１は、本発明における第１の同期回路を構成し、第２同期回路１２は、本発明における第２の同期回路を構成する。
【００２７】
次に、上述した一体型受像機１００の動作について説明する。図１において、プレーヤ２にＤＶＤ２０またはＣＤ３０が装着されたことをセンサ等で検知すると、プレーヤ２のマイコン１８がこれを制御信号送受信ポートＰａを通じてテレビ１のマイコン１３に通知する。この通知を受けたマイコン１３は、アンテナ３とチューナ４によって取得したテレビジョン放送信号を信号処理部５に処理させて、テレビジョン放送の映像信号と音声信号をそれぞれ出力させる。これにより、テレビジョン放送映像信号が映像信号切替部１０に入力されるとともに、テレビジョン放送音声信号が音声アンプ６に入力される。引き続き、マイコン１３は、図２のスイッチＳ１を接点ａに接続し、スイッチＳ２を接点ｃに接続し、スイッチＳ３を接点ｅに接続して、前述したようにテレビジョン放送映像信号をＣＲＴ駆動部９（図１）によってＣＲＴ８に入力するとともに、第１同期回路１１で発生させた同期信号をＣＲＴ駆動部９によってＣＲＴ８に入力する。これにより、ＣＲＴ８にテレビジョン放送の映像が表示される。またこのとき同時に、音声アンプ６に入力されたテレビジョン放送音声信号がここで増幅され、スピーカ７からテレビジョン放送の音声が出力される。
【００２８】
上記のようにテレビジョン放送の映像がＣＲＴ８に表示され、音声がスピーカ６から出力される間に、プレーヤ２のマイコン１８は、ディスク読取部１６によって装着されたディスクのデータを読み取って、信号処理部１７に送る。信号処理部１７は、送られて来たディスクのデータを処理して再生し、再生した信号を再生信号送信ポートＰｂを通じて信号処理部５へ送信する。ここで、送信された再生信号がＤＶＤ２０の再生信号である場合は、信号処理部５はＤＶＤ２０の再生信号を受信してこれを処理し、映像信号と音声信号とを出力する。これにより、映像信号が映像信号切替部１０に入力されるとともに、音声信号が音声アンプ６に入力される。そして、ＤＶＤ映像信号が映像信号切替部１０に入力されると、前述したようにＤＶＤ映像信号が図２の第２同期回路１２に入力されて、第２同期回路１２で同期信号が発生される。このとき、第２同期回路１２で発生される水平同期信号の周波数は、１５．７３ＫＨｚに一致するので、マイコン１３がこれを検出して、プレーヤ２側からＤＶＤ２０の再生信号を受信したと判断する。そして、マイコン１３は、スイッチＳ２を接点ｄに接続し、スイッチＳ３を接点ｆに接続して、前述したようにＤＶＤ映像信号をＣＲＴ駆動部９によってＣＲＴ８に入力するとともに、第２同期回路１２で発生させた同期信号をＣＲＴ駆動部９によってＣＲＴ８に入力する。これにより、ＣＲＴ８にテレビジョン放送の映像に代わって、ＤＶＤ２０の映像が表示される。またこのとき同時に、音声アンプ６に入力された音声信号がここで増幅され、スピーカ７からＤＶＤ２０の音声が出力される。
【００２９】
一方、信号処理部１７から送信された再生信号がＣＤ３０の再生信号である場合は、信号処理部５はＣＤ３０の再生信号を受信してこれを処理し、ＣＤ音声信号を出力する。これにより、ＣＤ音声信号が音声アンプ６に入力される。このとき、第２同期回路１２で発生される水平同期信号の周波数は、１５．７３ＫＨｚに一致しないので、マイコン１３がこれを検出して、プレーヤ２側からＤＶＤ２０の再生信号ではなく、ＣＤ３０の再生信号を受信したと判断する。そして、マイコン１３は、ＣＤ用固定映像データをメモリ１４から読み出して信号処理部５に送り、これを信号処理部５に処理させて、ＣＤ用固定映像信号を出力させる。
引き続き、マイコン１３は、スイッチＳ１を接点ｂに接続し、スイッチＳ２を接点ｃに接続し、スイッチＳ３を接点ｅに接続して、前述したようにＣＤ用固定映像信号をＣＲＴ駆動部９によってＣＲＴ８に入力するとともに、第１同期回路１１で発生させた同期信号をＣＲＴ駆動部９によってＣＲＴ８に入力する。これにより、ＣＲＴ８にテレビジョン放送の映像に代わって、ＣＤ用固定映像である青画面が表示される。またこのとき同時に、音声アンプ６に入力されたＣＤ音声信号がここで増幅され、スピーカ７からＣＤ３０の音声が出力される。
【００３０】
図３は、一体型受像機１００の動作手順を示すフローチャートである。なお、各処理はテレビ１のマイコン１３によって実行される。図３において、プレーヤ２にＤＶＤ２０またはＣＤ３０が装着されると、プレーヤ２のマイコン１８がこれを通知するので（ステップＳ１：ＹＥＳ）、マイコン１３は、アンテナ３とチューナ４によって取得したテレビジョン放送信号を信号処理部５に処理させた後に、前述したように映像信号切替部１０のスイッチＳ１〜Ｓ３を切り替えて、信号処理部５からのテレビジョン放送映像信号に基づいてテレビジョン放送の映像をＣＲＴ８に表示するとともに、信号処理部５からのテレビジョン放送音声信号に基づいてテレビジョン放送の音声をスピーカ７から出力する（ステップＳ２）。
【００３１】
この後、第２同期回路１２が発生する水平同期信号の周波数を検出し、この周波数が１５．７３ＫＨｚに一致しているか否かを判定する（ステップＳ３）。ここで、第２同期回路１２の水平同期信号の周波数が１５．７３ＫＨｚに一致していなければ（ステップＳ３：ＮＯ）、プレーヤ２にディスクが装着されてから所定時間経過したか否かを判定する（ステップＳ４）。なお、プレーヤ２にディスクが装着されてからの経過時間は、マイコン１３が内部に備えるメモリの所定の領域を用いて計測している。また、上記の所定時間は、例えば１０〜１２秒程度であり、プレーヤ２がＤＶＤ２０またはＣＤ３０のデータを読み取って再生し、その再生した信号をテレビ１の信号処理部５が受信するまでにかかる時間より長く設定するのがよい。ステップＳ４で所定時間が経過していなければ（ステップＳ４：ＮＯ）、ステップＳ３へ移行して、再び第２同期回路１２の水平同期信号の周波数が１５．７３ＫＨｚに一致しているか否かを判定し、一致していなければ（ステップＳ３：ＮＯ）、再びディスクが装着されてから所定時間経過したか否かを判定する（ステップＳ４）。
【００３２】
そして、ステップＳ３とステップＳ４を繰り返し実行して、ステップＳ３で第２同期回路１２の水平同期信号の周波数が１５．７３ＫＨｚに一致していれば（ステップＳ３：ＹＥＳ）、ＤＶＤ映像信号が信号処理部５から第２同期回路１２に入力されているので、プレーヤ２側からＤＶＤ２０の再生信号を受信したと判断するとともに、プレーヤ２に装着されているディスクはＤＶＤ２０であると判断する（ステップＳ５）。このように判断すると、前述したように映像信号切替部１０のスイッチＳ２、Ｓ３を切り替えて、信号処理部５からのＤＶＤ映像信号に基づいてＤＶＤ２０の映像をＣＲＴ８に表示するとともに、信号処理部５からのＤＶＤ音声信号に基づいてＤＶＤ２０の音声をスピーカ７から出力する（ステップＳ６）。
【００３３】
一方、ステップＳ３で第２同期回路１２の水平同期信号の周波数が１５．７３ＫＨｚに一致せずに（ステップＳ３：ＮＯ）、ステップＳ４で所定時間が経過すると（ステップＳ４：ＹＥＳ）、ＤＶＤ映像信号が信号処理部５から第２同期回路１２に入力されていないので、プレーヤ２側からＣＤ３０の再生信号を受信したと判断するとともに、プレーヤ２に装着されているディスクはＣＤ３０であると判断する（ステップＳ７）。このように判断すると、ＣＤ用固定映像データをメモリ１４から読み出して信号処理部５に処理させた後に、前述したように映像信号切替部１０のスイッチＳ１〜Ｓ３を切り替えて、信号処理部５からのＣＤ用固定映像信号に基づいてＣＤ用固定映像をＣＲＴ８に表示するとともに、信号処理部５からのＣＤ音声信号に基づいてＣＤ３０の音声をスピーカ７から出力する（ステップＳ８）。
【００３４】
以上のように、ＤＶＤ２０またはＣＤ３０がプレーヤ２に装着されてから、テレビ１の信号処理部５がＤＶＤ２０またはＣＤ３０の再生信号を受信するまでの間に、テレビジョン放送の映像をＣＲＴ８に表示すると、テレビジョン放送の映像は時々刻々と変化するので、ユーザにテレビジョン放送を視聴させることで、ＤＶＤ２０またはＣＤ３０が視聴可能になるまでの待ち時間を長く感じさせないようにすることができる。また、従来のようにプレーヤ２側で読取用固定画像データを処理してテレビ１に送信する必要がなくなるので、プレーヤ２が実行する処理を減らしてプレーヤ２の負担を軽減することができるとともに、図４に示した固定画像送信ポートＰ５と読取用固定画像データ自体を抹消することができ、一体型受像機１００全体のコストを低く抑えることが可能となる。
【００３５】
また、ＤＶＤ２０またはＣＤ３０の再生信号を受信したと判断したときに、ＣＲＴ８に表示しているテレビジョン放送の映像をＤＶＤ２０の映像またはＣＤ用固定映像に切り替えると、ＤＶＤ２０またはＣＤ３０が視聴可能になったことをユーザに即座に認識させて、以降それらを楽しませることができる。また、テレビ１側でディスクの再生信号がＤＶＤ２０の再生信号かＣＤ３０の再生信号かを判断する、つまり装着されたディスクがＤＶＤ２０かＣＤ３０かを判断すると、従来のようにプレーヤ２側でディスクの判別を行ってその結果をテレビ１側に通知する必要がなくなるので、プレーヤ２が実行する処理を減らしてプレーヤ２の負担を一層軽減することができるとともに、図４に示したディスク情報送信ポートＰ２を抹消することができ、一体型受像機１００のコストをさらに低く抑えることが可能となる。
【００３６】
また、第１同期回路１１とは別に第２同期回路１２を設けることで、テレビジョン放送の映像をＣＲＴ８に表示している間に、信号処理部５がプレーヤ２側からＤＶＤ２０の再生信号を受信したかＣＤ３０の再生信号を受信したかを容易に判断することができる。なお、図４に示した従来のようにＤＶＤ再生信号送信ポートＰ３と、ＣＤ再生信号送信ポートＰ４の２つポートＰ３、Ｐ４を設け、それぞれのポートＰ３、Ｐ４からの信号の送信の有無を検知することによっても、テレビ１側で受信したディスクの再生信号を判断することができるが、上記のように第２同期回路１２を設けて受信したディスクの再生信号を判断すると、ＤＶＤ２０の再生信号とＣＤ３０の再生信号を送信するためのポートを別々にする必要がなく１つのポートＰｂにすることができるので、プレーヤ２とテレビ１間のポートの数を減らして、一体型受像機１００全体のコストをさらに低く抑えることが可能となる。
【００３７】
さらに、ＤＶＤ２０またはＣＤ３０を再生可能なプレーヤ２を搭載した一体型受像機１００では、ＤＶＤ２０またはＣＤ３０をプレーヤ２に装着してからＤＶＤ２０またはＣＤ３０を視聴可能になるまでの待ち時間が約１０〜１２秒と長いため、本発明を上記のようなプレーヤを搭載した一体型受像機に適用することは大変意義が大きい。
【００３８】
以上述べた実施形態では、映像ディスクとしてＤＶＤ２０を用い、音声ディスクとしてオーディオ用ＣＤ３０を用いた例を挙げているが、本発明はこれのみに限定するものではなく、これ以外に、映像ディスクとしては、ＶｉｄｅｏＣＤやブルーレイディスクのようなディスクを用いてもよく、また、音声ディスクとしては、ＣＤ−Ｒやオーディオ用ではないＣＤを用いてもよい。
【００３９】
また、図４の実施形態では、第２同期回路１２の水平同期信号が１５．７３ＫＨｚに一致しないまま所定時間が経過したときに、ＤＶＤ２０ではなくＣＤ３０の再生信号を受信したと判断する例を挙げているが、本発明はこれのみに限定するものではない。これ以外に、例えば音声アンプ６に音声信号が入力されたときに、第２同期回路１２の水平同期信号が１５．７３ＫＨｚに一致していなければ、ＤＶＤ２０ではなくＣＤ３０の再生信号を受信したと判断するようにしてもよい。
【００４０】
【発明の効果】
本発明によれば、ディスクがディスクプレーヤに装着されてから、テレビジョン受像機がディスクの再生信号を受信するまでの間に、テレビジョン放送の映像を表示手段に表示することで、ユーザにテレビジョン放送を視聴させて、ディスクの情報が視聴可能になるまでの待ち時間を長く感じさせないようにすることができる。
【図面の簡単な説明】
【図１】本発明のディスクプレーヤ一体型テレビジョン受像機のブロック図である。
【図２】映像信号切替部の詳細構成を示す図である。
【図３】本発明のディスクプレーヤ一体型テレビジョン受像機のフローチャートである。
【図４】従来のディスクプレーヤ一体型テレビジョン受像機のブロック図である。
【符号の説明】
１      テレビジョン受像機
２      ディスクプレーヤ
３      アンテナ
７      スピーカ
８      ＣＲＴ
１１    第１同期回路
１２    第２同期回路
１３    マイクロコンピュータ
１４    メモリ
２０    ＤＶＤ
３０    ＣＤ
１００  ディスクプレーヤ一体型テレビジョン受像機
Ｓ１〜Ｓ３  スイッチ
【図１】
2005012348.tif 000003
【図２】
2005012348.tif 000004
【図３】
2005012348.tif 000005
【図４】
2005012348.tif 000006